(57)【要約】      （修正有）【課題】搾り網体が一体構造であり、取り外しやすく洗浄しやすく、駆動が安定するとともに、安全性の高い電動搾り機及びその一体型搾り網体を提供する。【解決手段】一体型搾り網体は濾過網ブラケット、シリカゲルブラシブラケット及びシリカゲルブラシブラケット駆動装置を含み、駆動装置は複数のスリーブ及びスリーブ上部に嵌着される伝動ギヤを含み、シリカゲルブラシブラケットの上面の内側壁に環状凹溝が設けられ、濾過網ブラケットの上面の外側壁に環状フランジが設けられ、濾過網ブラケットはシリカゲルブラシブラケット内に配置され、環状フランジは環状凹溝の底面に当接し、シリカゲルブラシブラケットの側壁下端にリングギヤが設けられ、ボルトは下から上へスリーブと濾過網ブラケットの底面をそれぞれ通して固定され、伝動ギヤはリングギヤと電動搾り機のスクリュー４下端の駆動ギヤ４１とそれぞれ噛合する。【選択図】図３
0003205673.tif 000002
【実用新案登録請求の範囲】
【請求項１】
その中に濾過網が固定される濾過網ブラケットと、
内側壁に複数本の縦方向に配置されるシリカゲルブラシが周方向に沿って固設されるシリカゲルブラシブラケットを含み、
さらに、少なくとも二つの対応するスリーブの上部にそれぞれ回転可能に設けられる伝動ギヤと、
伝動ギヤを固定するためのボルトを含むシリカゲルブラシブラケット駆動装置を含み、
また、前記シリカゲルブラシブラケット上面の内側壁に環状凹溝が設けられ、前記濾過網ブラケット上面の外側壁に環状フランジが設けられ、前記濾過網ブラケットが前記シリカゲルブラシブラケットの内に配置され、且つ前記環状フランジが前記凹溝の底面に当接し、前記シリカゲルブラシブラケットの側壁下端に下向きに突起する環状ボスが設けられ、前記環状ボスにリングギヤが設けられ、前記ボルトが下から上へ前記スリーブを通して前記濾過網ブラケットの底面に固定され、
前記伝動ギヤがそれぞれ前記リングギヤと噛合すると同時に、さらに電動搾り機のスクリュー下端における駆動ギヤとそれぞれ噛合するように配置されることを特徴とする電動搾り機の一体型搾り網体。
【請求項２】
前記濾過網ブラケットの外周面の中央部に環状凸リングが設けられ、前記環状凸リングが前記濾過網の外周面に固定され、前記シリカゲルブラシの中央部に前記環状凸リングに嵌合するＵ型切欠きが設けられることを特徴とする請求項１に記載の一体型搾り網体。
【請求項３】
前記環状ボスが周方向に沿って等分布するように設けられる複数のピラーで構成され、前記ピラーの内側面が前記伝動ギヤの歯形に合わせ、複数の前記ピラーが前記リングギヤを形成することを特徴とする請求項１に記載の一体型搾り網体。
【請求項４】
前記伝動ギヤが二つあることを特徴とする請求項１に記載の一体型搾り網体。
【請求項５】
前記濾過網ブラケットの底面に複数本の固定柱が設けられ、前記固定柱の側壁下端に位置決め溝が設けられ、前記スリーブの内壁に前記位置決め溝に合わせる凸リブが設けられることを特徴とする請求項１に記載の一体型搾り網体。
【請求項６】
前記シリカゲルブラシブラケットが上部リング及び下部リングを含み、前記上部リング及び下部リングが複数本の周方向に沿って配置される接続アームを介して接続され、前記接続アームにストライプ状貫通孔が縦方向に設けられ、前記シリカゲルブラシが前記ストライプ状貫通孔内に係着されることを特徴とする請求項１に記載の一体型搾り網体。
【請求項７】
本体、前記本体に取り付けられるカップ体、前記カップ体内に配置される一体型搾り網体、前記搾り網体内に配置され且つその下端に前記本体に駆動される駆動ギヤが設けられるスクリュー及び前記カップ体の上端開口にカバーするキャップを含み、前記搾り網体が請求項１〜６のいずれかに記載の一体型搾り網体を採用することを特徴とする電動搾り機。
【請求項８】
前記キャップの外側面に突起部が設けられ、前記突起部に上下を貫通する貫通孔が設けられ、前記貫通孔内に安全ロックバックルが挿入され、前記カップ体に前記ロックバックルに合わせるロックピンが対応して設けられ、且つ、
前記ロックバックルを下向きに押し下げてロック位置に位置させる場合では、前記ロックピンの上端が前記ロックバックル内に挿入され、
前記ロックバックルを上向きに抜き出して開放位置に位置させる場合では、前記ロックピンの上端が前記ロックバックルから分離するように配置されることを特徴とする請求項７に記載の電動搾り機。
【請求項９】
前記ロックバックルの少なくとも一つの側面に上下に配置される上、下凹溝が設けられ、前記突起部における上下を貫通する貫通孔の内壁に前記上、下凹溝に合わせる位置規制凸リブがそれぞれ設けられ、且つ、
前記ロックバックルがロック位置に位置する場合では、前記位置規制凸リブが前記上凹溝内に位置し、
前記ロックバックルが開放位置にある場合では、前記位置規制凸リブが前記下凹溝内に位置するように配置されることを特徴とする請求項８に記載の電動搾り機。
【請求項１０】
前記位置規制凸リブの断面が半円形であることを特徴とする請求項９に記載の電動搾り機。
【考案の詳細な説明】
【技術分野】
【０００１】
本考案は電動搾り機に関し、具体的には電動搾り機及びその一体型搾り網体に関する。
【背景技術】
【０００２】
現在、新鮮な果物、野菜及び豆類等の製品の汁物は豊富な栄養成分を含有するので、はやっている健康な飲物となっている。
【０００３】
生活レベルの向上に伴い、電動搾り機などのキッチン用やトイレ用の新興電気器具は手動製品の代わりに人々の家に入ってきて、人々の生活品質を向上させるが、従来の電動搾り機の主な部品における搾り網体は、一般的に分離型構造を採用し、且つ単一の伝動ギヤにより駆動されるため、その使用中に、以下の欠点が現れる。
（１）電動搾り機が使用後に洗浄しなければならないが、従来の搾り網体が分離型構造なので、着脱する時や残渣を洗浄する時に、一つ一つ取り外さなければならず面倒で、それにより使用上の不便を引き起こす。
（２）電動搾り機のモータの高速運転中に、搾り網体を駆動する単一のギヤは強度による影響で運転の不安定現象が発生しやすい。
（３）汁物を搾り取る場合では、硬い果物、野菜及び豆類等の製品に対して、回転ブラシブラケットは阻害により回転しないという現象が発生しやすく、それによりモータの回転拘束、さらにモータの負荷と騒音が大きすぎるという現象が引き起こされ、ひいてはモータの絶縁破損、モータ焼損が発生し且つ火災などのセキュリティリスクが引き起こされる。
【考案の概要】
【考案が解決しようとする課題】
【０００４】
本考案の解決しようとする技術的課題は電動絞り機の搾り網体が残渣を便利に洗浄することができず、回転が安定しないという課題である。
【課題を解決するための手段】
【０００５】
上記技術的課題を解決するために、本考案は、
その中に濾過網が固定される濾過網ブラケットと、
内側壁に複数本の縦方向に配置されるシリカゲルブラシが周方向に沿って固設されるシリカゲルブラシブラケットと、
少なくとも二つの対応するスリーブの上部にそれぞれ回転可能に設けられる伝動ギヤ及び伝動ギヤを固定するためのボルトを含むシリカゲルブラシブラケット駆動装置を含み、
また、前記シリカゲルブラシブラケット上面の内側壁に環状凹溝が設けられ、前記濾過網ブラケット上面の外側壁に環状フランジが設けられ、前記濾過網ブラケットが前記シリカゲルブラシブラケットの内に配置され、且つ前記環状フランジが前記凹溝の底面に当接し、前記シリカゲルブラシブラケットの側壁下端に下向きに突起する環状ボスが設けられ、前記環状ボスにリングギヤが設けられ、前記ボルトが下から上へ前記スリーブを通して前記濾過網ブラケットの底面に固定され、
前記伝動ギヤがそれぞれ前記リングギヤと噛合すると同時に、さらにそれぞれ電動搾り機のスクリュー下端における駆動ギヤと噛合するように配置される電動搾り機の一体型搾り網体を提供する。
【０００６】
好ましくは、上記一体型搾り網体において、前記濾過網ブラケットの外周面の中央部に環状凸リングが設けられ、前記環状凸リングが前記濾過網の外周面に固定され、前記シリカゲルブラシの中央部に前記環状凸リングに嵌合するＵ型切欠きが設けられる。
【０００７】
好ましくは、上記一体型搾り網体において、前記環状ボスが周方向に等分布するように設けられる複数のピラーで構成され、前記ピラーの内側面が前記伝動ギヤの歯形に合わせ、複数の前記ピラーが前記リングギヤを形成する。
【０００８】
好ましくは、上記一体型搾り網体において、前記伝動ギヤが二つある。
【０００９】
好ましくは、上記一体型搾り網体において、前記濾過網ブラケットの底面に複数本の固定柱が設けられ、前記固定柱の側壁下端に位置決め溝が設けられ、前記スリーブの内壁に前記位置決め溝に合わせる凸リブが設けられる。
【００１０】
好ましくは、上記一体型搾り網体において、前記シリカゲルブラシブラケットが上部リング及び下部リングを含み，前記上部リング及び下部リングは複数本の周方向に配置される接続アームを介して接続され、前記接続アームにストライプ状貫通孔が縦方向に設けられ、前記シリカゲルブラシが前記ストライプ状の貫通孔内に係着される。
【００１１】
本考案はさらに、本体、前記本体に取り付けられるカップ体、前記カップ体内に配置される一体型搾り網体、前記搾り網体内に配置され且つその下端に前記本体に駆動される駆動ギヤが設けられるスクリュー及び前記カップ体の上端開口にカバーするキャップを含み、前記搾り網体が上記構造の一体型搾り網体を採用する電動搾り機を提供する。
【００１２】
好ましくは、上記電動搾り機において、前記キャップの外側面に突起部が設けられ、前記突起部に上下を貫通する貫通孔が設けられ、前記貫通孔内に安全ロックバックルが挿入され、前記カップ体に前記ロックバックルに合わせるロックピンが対応して設けられ、且つ、
前記ロックバックルを下向きに押し下げてロック位置に位置させる場合では、前記ロックピンの上端が前記ロックバックル内に挿入され、
前記ロックバックルを上向きに抜き出して開放位置に位置させる場合では、前記ロックピンの上端が前記ロックバックルから分離するように配置される。
【００１３】
好ましくは、上記電動搾り機において、前記ロックバックルの少なくとも一つの側面に上下に配置される上、下凹溝が設けられ、前記突起部における上下を貫通する貫通孔の内壁に前記上、下凹溝に合わせる位置規制凸リブがそれぞれ設けられ、且つ、
前記ロックバックルがロック位置に位置する場合では、前記位置規制凸リブが前記上凹溝内に位置し、
前記ロックバックルが開放位置に位置する場合では、前記位置規制凸リブが前記下凹溝内に位置するように配置される。
【００１４】
好ましくは、上記電動搾り機において、前記位置規制凸リブの断面が半円形である。
本考案の提供する搾り網体は、複数本のボルトを介して複数の伝動ギヤをそれぞれシリカゲルブラシブラケットと濾過網ブラケットとともに一体型モジュール構造に組み立て、それにより搾り網体は一体的に取り外すことができ、さらに取り外しやすく、洗浄しやすく、また、複数の伝動ギヤを採用するため、シリカゲルブラシブラケットの駆動がさらに安定し、同時に伝動ギヤの強度を高め、耐用年数を延長する。
【００１５】
また、濾過網ブラケットの外周面の中央部に環状凸リングが設けられ、シリカゲルブラシブラケットの中央部に前記環状凸リングに嵌合するＵ型切欠きが設けられ、このような構造により、シリカゲルブラシブラケットの軸方向と径方向における振れが規制でき、さらにシリカゲルブラシブラケットの回転安定性を向上させる。
【００１６】
さらに、シリカゲルブラシはシリカゲルブラシブラケットに係着され、交換しやすく、且つ使用とメンテナンスのコストを削減する。
【００１７】
本考案の提供する電動搾り機は、上記構造の一体型搾り網体を有するため、さらに洗浄しやすく、運転騒音が小さく、耐用年数が長い。
【００１８】
また、本考案の提供する電動搾り機は、キャップとカップ体が安全ロックバックル装置を介してロックでき、それにより逆転機能を使用する時に、カップ体とキャップが回転に伴って抜けることを回避し、逆転機能の安定的な運転を確保し、使用上の安全性を向上させる。
【図面の簡単な説明】
【００１９】
【図１】本考案の提供する一体型搾り網体の構成を示す図。
【図２】図１に示す一体型搾り網体の分解構成を示す図。
【図３】本考案の提供する電動搾り機の分解構成を示す図。
【図４】本考案の提供する電動搾り機の安全ロックバックルが押し下げられる時の概略図。
【図５】図４におけるＡ部の拡大図。
【図６】本考案の提供する電動搾り機の安全ロックバックルが開放される時の概略図。
【図７】図６におけるＢ部の拡大図。
【考案を実施するための形態】
【００２０】
従来の電動搾り機では搾り網体上の残渣が洗浄しにくく、回転が安定しないという問題を解決するため、本考案は複数の搾り網体を駆動する伝動ギヤを搾り網体におけるシリカゲルブラシブラケットと濾過網ブラケットとともに一体型構造に組み立てることにより、搾り網体を一体的に取り外して洗浄することができ、さらに使用しやすく、且つ回転がさらに安定する一体型搾り網体を提供し、次に、具体的な実施形態と明細書の添付図面により、本考案を詳しく説明する。
【００２１】
図１は本考案の提供する一体型搾り網体の構成を示す図で、図２は図１に示す一体型搾り網体の分解構成を示す図。図１、図２に示すように、本考案の提供する一体型搾り網体は主に濾過網ブラケット１０、シリカゲルブラシブラケット２０及びシリカゲルブラシブラケット駆動装置３０で構成される。
【００２２】
そのうち、シリカゲルブラシブラケット駆動装置３０は二つ又は二つ以上の伝動ギヤ３１を有し、且つ濾過網ブラケット１０、シリカゲルブラシブラケット２０とともに一体型構造を形成し、コストから考えると、本具体的実施形態は二つの伝動ギヤを備える実施例により説明する。なお、本分野における技術者の基本能力と認識レベルに基づいて、コストを考えず、三つ又は四つの伝動ギヤを設置すると回転の安定性がさらに向上できることが完全に理解できる。
【００２３】
また、図１、図２を参照すると、本考案の提供する一体型搾り網体の具体的実施形態において、濾過網１１は濾過網ブラケット１０内に固定され、シリカゲルブラシブラケット２０は上部リング２１と下部リング２２を含み、上部リング２１と下部リング２２は複数本の周方向に沿って配置される接続アーム２３（本実施形態では三本）を介して接続され、接続アーム２３にストライプ状貫通孔２３１が縦方向に設けられ、シリカゲルブラシ２４はストライプ状貫通孔２３１内に係着され、その内側がシリカゲルブラシブラケット２０の内側壁から突起し、且つ濾過網１１に当接し、複数本の縦方向に配置されるようにシリカゲルブラシブラケット２０の内側壁の周方向に沿って固設されるシリカゲルブラシ２１を形成し、それにより濾過網１１の外側面上の押出される残渣を掻き落とし、濾過網１１の詰まりを防止する。シリカゲルブラシ２４はシリカゲルブラシブラケット２０に係着されるように設けられ、磨耗されると単独で変換しやすく、使用とメンテナンスのコストを削減する。
【００２４】
また、改良される設計として、濾過網ブラケット１０の外周面の中央部に環状凸リング１２が設けられ、且つ濾過網１１の外周面に固定され、シリカゲルブラシ２４の内側中央部に環状凸リング１２に嵌合するＵ切欠き２４１が設けられ、シリカゲルブラシ２４はシリカゲルブラシブラケット２０の内側から外側へ取り付けられ、したがって、シリカゲルブラシ２４の外側は楔形を呈し、中央部に縦係止溝２４２が設けられ、且つ係止溝２４２の側辺稜に円弧状の面取りが設けられるため、シリカゲルブラシ２４が取り付けやすい。Ｕ形切欠き２４１は環状凸リング１２に係止され、シリカゲルブラシブラケット２０の位置を規制する役割を果たし、シリカゲルブラシブラケット２０の軸方向及び径方向における振れを防止することができ、シリカゲルブラシブラケット２０の回転安定性をさらに向上させる。
【００２５】
シリカゲルブラシブラケット駆動装置３０は二つの伝動ギヤ３１と伝動ギヤ３１を固定するためのボルト３３を含む。伝動ギヤ３１はスリーブ３２にあり、スリーブ３２の外周面に環状ショルダー３２１が設けられ、伝動ギヤ３１は回転するようにスリーブ３２の上部に設けられ、且つショルダー３２１を介して軸方向における位置規制を行う。上部リング２１の上面内側壁に環状凹溝２１１が設けられ、濾過網ブラケット１０の上面外側壁に環状フランジ１０１が設けられ、シリカゲルブラシブラケット２０における下部リング２２の側壁下端に下向きに突起する環状ボスが設けられ、環状ボスは複数の周方向に等分布するように設けられるピラーで構成され、ピラーの内側面は伝動ギヤ３１の歯形に合わせ、それにより、複数のピラーはリングギヤ２２１を形成する。濾過網ブラケット１０、シリカゲルブラシブラケット２０及びシリカゲルブラシブラケット駆動装置３０を組み立てる時に、まず濾過網ブラケット１０をシリカゲルブラシブラケット２０内に配置し、環状フランジ１０１を環状凹溝２１１内に位置させ、続いて、ボルト３３を下から上へスリーブ３２を通すように濾過網ブラケット１０の底面に固定し、それにより濾過網ブラケット１０、シリカゲルブラシブラケット２０及びシリカゲルブラシブラケット駆動装置３０を一体型構造に組み立てる。
【００２６】
取り付けた後に、二つの伝動ギヤ３１の外側はそれぞれリングギヤ２２１と噛合し、伝動ギヤ３１の内側はそれぞれ電動搾り機のスクリュー４下端の駆動ギヤ４１と噛合する（図３を参照）。電動搾り機を用いる時、スイッチをオンし、本体はスクリュー４の順方向における高速回転を駆動し、二つの電動ギヤ３１の作用で、シリカゲルブラシブラケット２０は低速に逆回転し、シリカゲルブラシ２４は濾過網１１外側面の押出された残渣を掻き落とし、二つの電動ギヤ３１を採用してシリカゲルブラシブラケット２０の逆回転を駆動するため、シリカゲルブラシブラケット２０の回転はさらに安定し、同時に、複数のピラーで構成されるリングギヤ２２１により、強度を高め、さらに大きい駆動力を担持することができ、シリカゲルブラシブラケット駆動装置３０の耐用年数を延長する。
【００２７】
伝動ギヤ３１を便利に固定して取り付けるために、濾過網ブラケット１０の底面に複数本の固定柱３が設けられ、固定柱１３の側壁下端に位置決め溝１３１が設けられ、スリーブ３２の内壁に位置決め溝１３１に合わせる凸リブが設けられ、したがって、スリーブ３２を取り付ける時に、便利に位置決めとガイドができる。
【００２８】
その上で、本考案はさらに、図３に示すように、本体１、カップ体２、搾り網体３、スクリュー４及びキャップ５を含む電動搾り機を提供し、そのうち、搾り網体３は上記構造の一体型搾り網体を採用する。
【００２９】
カップ体２は本体１に取り付けられ、搾り網体３はカップ体２内に配置され、スクリュー４の下端に駆動ギヤ４１が設けられ、スクリュー４は搾り網体３内に配置され且つ本体１を介して駆動ギヤ４１を動かしてスクリュー４を高速に回転させ、同時に、シリカゲルブラシブラケット２０は低速に逆回転し、キャップ５はカップ体２の上端開口にカバーし、キャップ５の入口から果物、野菜及び豆類などの材料を搾り網体３内に送って汁物を搾り取り、且つカップ体２底部の汁物排出口から流れ出し、残渣をカップ体２下部の残渣排出口から排出する。
【００３０】
本考案の提供する電動搾り機は、そのキャップ５に安全ロックバックル装置６を有し、それにより逆転機能を使用する時に、カップ体２とキャップ５が回転に伴って抜けることを回避し、逆転機能の正常な運転を確保し、且つ使用上の安全性を向上させる。図４、図５、図６及び図７に示すように、図４は本考案の提供する電動搾り機の安全ロックバックルが押し下げられる時の概略図で、図５は図４におけるＡ部の拡大図で、図６は本考案の提供する電動搾り機の安全ロックバックルが開放される時の概略図で、図７は図６におけるＢ部の拡大図。カップ蓋５の外側面に突起部６１が設けられ、突起部６１に上下を貫通する貫通孔６２が設けられ、貫通孔６２内にロックバックル６３が挿入され、カップ体２にロックバックル６３に合わせるロックピン６４が対応して設けられ、且つ、
ロックバックル６３を下向きに押し下げてロック位置に位置させる場合では、ロックピン６４の上端がロックバックル内に挿入され、それによりカップ体２とキャップ５が、図４、図５に示すように、一体になり、
ロックバックル６３を上向きに抜き出して開放位置に位置させる場合では、ロックピン６４の上端がロックバックル６３から分離し、それによりカップ体２とキャップ５が、図６、図７に示すように、分離するように配置される。
【００３１】
安全ロックバックル装置６は上下二段式構造に設計されて、使用しやすく、具体的な解決手段は以下のとおり。
【００３２】
ロックバックル６３の二つの対向する側面（又は一つの側面に設置する）に上凹溝６５と下凹溝（図示せず）が上下に配置されるようにそれぞれ設けられ、突起部６１における上下を貫通する貫通孔６２の内壁に上、下凹溝に合わせる位置規制凸リブ（図示せず）がそれぞれ設けられ、位置規制凸リブの断面は半円形で、ロックバックル６３がロック位置に位置する場合では、位置規制凸リブは上凹溝６５内に位置し、ロックバックル６３が開放位置に位置する場合では、位置規制凸リブは下凹溝内に位置する。位置規制凸リブと上、下凹溝の嵌合により、安全ロックバックル装置６の振動による位置変化がないことを保証することができ、安全性を向上させる。上記解決手段はさらに一つの凹溝と二つの位置規制凸リブが嵌合するような接続方式に設計することができる。
【００３３】
以上説明したように、従来の技術に比べ，本考案の提供する電動搾り機は以下の主な利点を有する。
（１）一体型搾り網体は一体的に取り外すことができ、便利に脱着して残渣を洗浄することができる。
（２）モータの高速運転中に、伝動ギヤの運転がさらに安定し、全体の騒音が比較的小さい。
（３）汁物を搾り取る場合では、硬い果物、野菜及び豆類製品に対して、一体型搾り網体はセキュリティリスクと不安全要因の発生を解消することができ、モータの保護に重要な役割を果たす。
（４）安全ロックバックル装置を介して搾り機は逆転機能を使用する時に、キャップがそれに伴って回転し、さらにマイクロスイッチから滑り出して使用機能を急に停止させることを防止することができ、各種の不安全要因の発生を途絶する。
【００３４】
本考案は上記最適な実施形態に限らず、誰でも本考案の示唆に基づく構造変化を知るべきで、本考案と同様又は類似の技術的解決手段は、いずれも本考案の保護範囲に属する。
【図１】
0003205673.tif 000003
【図２】
0003205673.tif 000004
【図３】
0003205673.tif 000005
【図４】
0003205673.tif 000006
【図５】
0003205673.tif 000007
【図６】
0003205673.tif 000008
【図７】
0003205673.tif 000009